(57)【要約】      （修正有）【課題】シェル内のコネクタの回転位置を直接確認することなく、コネクタと光アダプタとを容易に接続することができるＯＣＴカテーテルのコネクタ構造を提供する。【解決手段】ＯＣＴカテーテルのコネクタ構造は、軸心方向Ｌに延在する内側空間を有し、軸心方向Ｌの一端が開口している外装体２０と、外装体２０の内側空間内において接続端を開口に向けた状態で軸心を中心として回転可能に配置されるコネクタ４０と、外装体２０の内側空間内に配置され、外装体２０に対するコネクタ４０の回転を規制するストッパ３０と、を備え、回転駆動を行う回転駆動装置の接続口に外装体２０の一端側が押し込まれることによって、コネクタ４０は回転駆動装置のアダプタ７ｄに接続可能であり、接続口に対して外装体２０が押し込まれたときに、ストッパ３０によるコネクタ４０の回転規制が解除される。【選択図】図５
2017127510.tif 000002
【特許請求の範囲】
【請求項１】
軸心の方向に延在する内側空間を有し、前記軸心の方向の一端が開口している外装体と、
前記外装体の前記内側空間内において接続端を前記開口に向けた状態で前記軸心を中心として回転可能に配置されるコネクタと、
前記外装体の前記内側空間内に配置され、前記外装体に対する前記コネクタの回転を規制するストッパと、を備え、
回転駆動を行う回転駆動装置の接続部分に前記外装体の前記一端側が押し込まれることによって、前記コネクタは前記回転駆動装置のアダプタに接続可能であり、
前記接続部分に対して前記外装体が押し込まれたときに、前記ストッパによる前記コネクタの回転規制が解除される、ＯＣＴカテーテルのコネクタ構造。
【請求項２】
前記ストッパによる前記コネクタの回転規制の機構は、前記ストッパに形成された係止部と、前記コネクタに形成された前記係止部に係止可能な被係止部と、を含み、
前記ストッパは、前記接続部分に対して前記外装体が押し込まれたときに、前記外装体に対して前記軸心の方向に相対的に移動し、
当該ストッパの相対的な移動によって、前記係止部と前記被係止部との係止が解除される、請求項１記載のＯＣＴカテーテルのコネクタ構造。
【請求項３】
前記外装体に対する前記ストッパの相対的な位置変化は、弾性部材によって制限されており、
前記接続部分に対して前記外装体が押し込まれたときに、前記弾性部材の弾性変形を伴って前記外装体に対する前記ストッパの相対的な位置が変更され、前記ストッパによる前記コネクタの回転規制が解除される、請求項１又は２に記載のＯＣＴカテーテルのコネクタ構造。
【請求項４】
前記外装体に対する前記ストッパの前記軸心を中心とした回転が規制されている、請求項１〜３のいずれか一項に記載のＯＣＴカテーテルのコネクタ構造。
【請求項５】
請求項１〜請求項４のいずれか一項に記載のＯＣＴカテーテルのコネクタ構造と、前記回転駆動装置とを備えた医療用イメージングシステムであって、
前記接続部分に対して前記外装体が押し込まれるときの前記回転駆動装置における前記アダプタの回転位置と、前記接続部分から前記外装体が取り外されるときの前記アダプタの回転位置とが同じとなるように制御される、医療用イメージングシステム。
【発明の詳細な説明】
【技術分野】
【０００１】
本発明は、ＯＣＴカテーテルのコネクタ構造及び医療用イメージングシステムに関する。
【背景技術】
【０００２】
特許文献１には、光干渉断層診断装置（ＯＣＴ）のカテーテルのコネクタ装置と、該カテーテル内のイメージングコアのスキャン動作及びプルバック動作を行うための駆動装置側のアダプタ装置とを相互に接続するための構造が開示されている。コネクタ装置は、中空の円筒形状を有したコネクタ固定部材を備える。コネクタ固定部材の外周面の一部には、長手方向に凸部が形成されている。また、アダプタ装置は、中空の円筒形状を有したアダプタ固定部材を備える。アダプタ固定部材には、傾斜端面が形成されている。傾斜端面の一部には、コネクタ固定部材の凸部が嵌合するように切り欠き部が設けられている。
【先行技術文献】
【特許文献】
【０００３】
【特許文献１】国際公開第２００９／１５４１０３号
【発明の概要】
【発明が解決しようとする課題】
【０００４】
一般に、ＯＣＴカテーテルでは、シェル内に配置された光コネクタが、回転駆動装置に配置された光アダプタに対して、互いの回転位置が揃った状態で接続される。しかし、光コネクタは、シェル内で回転自在な状態となっている。そのため、使用者はシェル内の光コネクタの回転位置を確認しながら、光コネクタと光アダプタとを接続する必要がある。
【０００５】
特許文献１に開示された従来技術では、コネクタ固定部材がアダプタ固定部材内に挿入されると、凸部が傾斜端面に沿って摺動することによって、コネクタ固定部材の回転位置が調整される。しかしながら、一般に、アダプタ固定部材が設けられるアダプタ装置側は、繰り返し使用されることが前提となっている。この場合、凸部と傾斜斜面とが繰り返し摺動されることによって、傾斜斜面が劣化し、スムーズに摺動しなくなる虞がある。また、コネクタ固定部材の挿入速度によっては、アダプタ固定部材及びコネクタ固定部材に不要な荷重が加わり、これらが破損する虞がある。
【０００６】
本発明は、シェル内のコネクタの回転位置を直接確認することなく、コネクタとアダプタとを容易に接続することができるＯＣＴカテーテルのコネクタ構造を提供することを目的とする。
【課題を解決するための手段】
【０００７】
本発明の一形態に係るＯＣＴカテーテルのコネクタ構造は、軸心の方向に延在する内側空間を有し、軸心の方向の一端が開口している外装体と、外装体の内側空間内において接続端を開口に向けた状態で軸心を中心として回転可能に配置されるコネクタと、外装体の内側空間内に配置され、外装体に対するコネクタの回転を規制するストッパと、を備え、回転駆動を行う回転駆動装置の接続部分に外装体の一端側が押し込まれることによって、コネクタは回転駆動装置のアダプタに接続可能であり、接続部分に対して外装体が押し込まれたときに、ストッパによるコネクタの回転規制が解除されている。
【発明の効果】
【０００８】
一形態に係るＯＣＴカテーテルのコネクタ構造によれば、シェル内のコネクタの回転位置を確認しなくても、コネクタとアダプタとを容易に接続することができる。
【図面の簡単な説明】
【０００９】
【図１】図１は、一実施形態に係るＯＣＴ装置の構成を示す図である。
【図２】図２は、ＯＣＴカテーテルのコネクタ構造を示す分解斜視図である。
【図３】図３は、ＯＣＴカテーテルのコネクタ構造を示す断面図である。
【図４】図４（ａ）は、ＯＣＴカテーテルのコネクタ構造を構成するストッパを示す斜視図である。図４（ｂ）はＯＣＴカテーテルのコネクタ構造を構成するコネクタを示す斜視図である。
【図５】図５（ａ）、図５（ｂ）は、ＯＣＴカテーテルの接続動作を説明するための図である。
【発明を実施するための形態】
【００１０】
［本願発明の実施形態の説明］
最初に本願発明の実施形態の内容を列記して説明する。本願発明の一形態に係るＯＣＴカテーテルのコネクタ構造は、軸心の方向に延在する内側空間を有し、軸心の方向の一端が開口している外装体と、外装体の内側空間内において接続端を開口に向けた状態で軸心を中心として回転可能に配置されるコネクタと、外装体の内側空間内に配置され、外装体に対するコネクタの回転を規制するストッパと、を備え、回転駆動を行う回転駆動装置の接続部分に外装体の一端側が押し込まれることによって、コネクタは回転駆動装置のアダプタに接続可能であり、接続部分に対して外装体が押し込まれたときに、ストッパによるコネクタの回転規制が解除される。
【００１１】
このＯＣＴカテーテルのコネクタ構造では、ストッパによって外装体に対するコネクタの回転が規制されているので、コネクタはアダプタと接続されるまで回転しない。この場合、使用者は、外装体を周方向に回転させることで、同時にコネクタの回転位置を変更させることができる。すなわち、コネクタの回転位置は外装体の回転位置によって確認可能となる。一方で、接続部分に対して外装体が押し込まれると、ストッパによるコネクタの回転規制が解除される。これにより、コネクタは回転駆動装置によって回転自在となる。このように、外装体内のコネクタの回転位置を確認しなくても、コネクタとアダプタとを容易に接続することができる。
【００１２】
また、ストッパによるコネクタの回転規制の機構は、ストッパに形成された係止部と、コネクタに形成された係止部に係止可能な被係止部と、を含み、ストッパは、接続部分に対して外装体が押し込まれたときに、外装体に対して軸心の方向に相対的に移動し、当該ストッパの相対的な移動によって、係止部と被係止部との係止が解除される構成でもよい。この場合、外装体を押し込む方向とストッパの移動方向が同じとなっているので、外装体を押し込む際の力をストッパの移動に利用することができる。
【００１３】
また、外装体に対するストッパの相対的な位置変化は、弾性部材によって制限されており、接続部分に対して外装体が押し込まれたときに、弾性部材の弾性変形を伴って外装体に対するストッパの相対的な位置が変更され、ストッパによるコネクタの回転規制が解除される構成でもよい。この場合、接続部分に対して外装体が押し込まれていない状態では、弾性体によって外装体に対するストッパの位置が一定に保持される。そのため、振動等によってコネクタの回転規制が解除されることが抑制される。
【００１４】
また、外装体に対するストッパの軸心を中心とした回転が規制されている構成でもよい。このような構成によれば、コネクタの回転が規制されている状態において、外装体の周方向に対するコネクタの回転位置が決定される。
【００１５】
また、一形態に係る医療用イメージングシステムは、上記のＯＣＴカテーテルのコネクタ構造と回転駆動装置とを備え、接続部分に対して外装体が押し込まれるときの回転駆動装置におけるアダプタの回転位置と、接続部分から外装体が取り外されるときのアダプタの回転位置とが同じとなるように制御される。このような構成によれば、接続部分から外装体が取り外された場合に、再度、ストッパによりコネクタの回転が規制され得る。
【００１６】
［本願発明の実施形態の詳細］
以下、本発明に係る実施の形態について図面を参照しながら具体的に説明する。便宜上、実質的に同一の要素には同一の符号を付し、その説明を省略する場合がある。なお、以下の説明において、ＯＣＴカテーテルの軸心方向（長手方向）を前後方向として表現し、基端側を前方側、先端側を後方側とする。また、径方向、周方向及び回転という場合には、特に言及がなければ、ＯＣＴカテーテルの軸心を基準としている。
【００１７】
図１は、光干渉断層画像を取得するための医療用イメージングシステム１の構成を示す図である。図１に示されるように、医療用イメージングシステム１は、コンソール本体部２と、回転駆動装置７と、ＯＣＴカテーテル１０とを備えている。
【００１８】
コンソール本体部２は、体内イメージ取得のための基本機能を実現する光源、光学測定部、制御部、画像計算を行うコンピュータ、電源等を内蔵する。コンソール本体部２には、操作者が容易に移動し得るようにキャスター２ａが取り付けられている。また、コンソール本体部２の上部には、記録メディアが挿入されるドライブ３、イメージング画像の表示を行うモニタ５、操作入力のためのキーボードやマウスといった入力手段６が設けられている。
【００１９】
回転駆動装置７は、ＯＣＴカテーテル１０における回転スキャン動作を行う装置である。回転駆動装置７は、電気配線及び光ファイバを含むケーブル８を介してコンソール本体部２と接続されており、コンソール本体部２から離れて患者の近くに配置される。回転駆動装置７に接続されるＯＣＴカテーテル１０は、光干渉断層画像を取得する際に使用者によって把持されるハンドピース９を有している。ハンドピース９はチューブ４の先端に設けられたコネクタ構造を介して回転駆動装置７の接続口（接続部分）７ａに接続されている。本実施形態では、ＯＣＴカテーテル１０のコネクタ構造１００を構成する外装体２０が回転駆動装置７の接続口７ａに押し込まれることによって、ＯＣＴカテーテル１０が回転駆動装置７に接続される。接続口７ａの周縁には、ＯＣＴカテーテル１０における外装体２０の周方向の位置合わせのための位置決め部７ｂが設けられている。図示例の位置決め部７ｂは、接続口７ａの周縁の一カ所に形成された矩形の切り欠きである。ハンドピース９の先端には、ニードル９ａが固定されている。ニードル９ａは、光ファイバ（不図示）の先端側を回転自在に内包しており、光ファイバの光が外部に出射できるようになっている。
【００２０】
図２は、ＯＣＴカテーテル１０のコネクタ構造１００を示す分解斜視図である。図３は、ＯＣＴカテーテル１０のコネクタ構造１００を示す断面図である。図２、図３に示されるように、ＯＣＴカテーテル１０のコネクタ構造１００は、外装体２０と、ストッパ３０と、コネクタ４０とを含む。外装体２０は、軸心方向Ｌに延在する内側空間ＳＰを有し、その軸心方向Ｌの一端が開口している。本実施形態の外装体２０は、リアシェル２１とフロントシェル２４とによって構成されている。リアシェル２１は、外装体２０の後方側を構成し、略円筒状をなすとともに、後方側に向かって徐々に窄まる形状となっている。リアシェル２１の内側空間ＳＰ１には、トルクワイヤ（不図示）が挿通される管状部が形成されている。リアシェル２１の前方側の端縁には、フロントシェル２４との螺合のためのネジ山２３が形成されている。リアシェル２１の後方端には、トルクワイヤ等の内装体を内包するチューブ４（図１参照）が接続されている。
【００２１】
フロントシェル２４は、略円筒状をなし、断面略円形の内側空間ＳＰ２を有している。フロントシェル２４の後方側には、リアシェル２１との螺合のためのネジ溝２５が形成されている。フロントシェル２４及びリアシェル２１は、ネジ溝２５とネジ山２３とが螺合することによって外装体２０を構成する。フロントシェル２４の前方側の端部２４ａは開口している。外装体２０においては、フロントシェル２４の内側空間ＳＰ２とリアシェル２１の内側空間ＳＰ１とが端部２４ａの開口から連続している。フロントシェル２４の外周面には、周方向の一カ所に径方向外側に突出した位置決め突起２６が形成されている。外装体２０は、接続口７ａに形成された位置決め部７ｂと外装体２０に形成された位置決め突起２６との周方向の位置が一致した状態で、接続口７ａに挿通される。
【００２２】
フロントシェル２４の内周面には、周方向の一カ所において、軸心方向Ｌの前端から後方側に延在した位置決め溝２７が形成されている。本実施形態では、この位置決め溝２７によって外装体２０に対するストッパ３０の回転が規制される。また、位置決め溝２７の周方向の位置と位置決め突起２６の周方向の位置とは略同じになっている。
【００２３】
フロントシェル２４の内周面には、径方向内側に延在する厚肉部２４ｂが複数形成されている。この厚肉部２４ｂには、軸心方向Ｌに延在し、前方側に開口する穴部２８が形成されている。穴部２８には段部２８ａが形成されている。この段部２８ａを境として、穴部２８の前方側（開口側）の径は、後方側の径よりも大きく形成されている。本実施形態では、周方向の３か所に１２０°間隔で穴部２８が形成されている。
【００２４】
また、フロントシェル２４の内側空間ＳＰ２には、軸心方向Ｌに延在する複数の係止爪２９が形成されている。係止爪２９は、フロントシェル２４の内周面から径方向内側に延在する段部２９ｃを基端として前方側に向かって延在する棒状の基部２９ａを有する。基部２９ａの前端には、径方向内側に突出した爪部２９ｂが形成されている。本実施形態では、周方向の３か所に１２０°間隔で係止爪２９が形成されている。また、係止爪２９は、周方向において穴部２８と穴部２８との間に配置されている。
【００２５】
図４（ａ）は、ストッパ３０を示す斜視図である。図２、図３、図４（ａ）に示されるように、ストッパ３０は、外装体２０の内側空間ＳＰ内に配置され、外装体２０に対するコネクタ４０の回転を規制する。ストッパ３０は、略円筒状をなし、軸心方向Ｌの後端に円環板状のストッパ本体３１を有する。ストッパ本体３１には、周方向の一カ所において径方向外側に突出した位置決め突起３２が形成されている。位置決め突起３２は、フロントシェル２４の内周面に形成された位置決め溝２７に収容されて、フロントシェル２４に対するストッパ３０の回転を規制する。
【００２６】
ストッパ本体３１には、軸心方向Ｌの後方に突出する円柱状の軸部３３が複数形成されている。軸部３３の長さは、例えばフロントシェル２４の穴部２８の深さと同じであり、軸部３３の径は、穴部２８の後方側の径より小さくなっている。本実施形態では、周方向の３か所に１２０°間隔で軸部３３が形成されている。ストッパ３０が外装体２０の内側空間ＳＰに配置された状態では、軸部３３は弾性部材としてのバネ３４に挿通されるとともに、穴部２８に挿通される。バネ３４の外径は、穴部２８の後方側の径よりも大きく、穴部２８の前方側の径よりも小さい。そのため、バネ３４は、ストッパ本体３１と段部２８ａとの間に配置される。これにより、ストッパ３０は、バネ３４によって軸心方向Ｌの前方に向かって付勢される。
【００２７】
ストッパ本体３１には周方向の３か所に係止爪２９に対応した切欠部３５及び係止片３６が形成されている。切欠部３５は、係止爪２９の基部２９ａが挿通可能となっている。また、係止片３６は、係止爪２９の爪部２９ｂに係合するように、切欠部３５の径方向内側に形成されている。本実施形態では、ストッパ本体３１から軸心方向Ｌの後方に向かって係止片３６が立設されている。係止片３６と係止爪２９とが係合した状態では、外装体２０からのストッパ３０の脱落が防止される。また、自然状態では、バネ３４の付勢によって、係止片３６と係止爪２９とが係合した状態が保持される。
【００２８】
ストッパ本体３１の内周面３７には、径方向の内側に突出した係止部３８が形成されている。本実施形態では、ストッパ本体３１の内周は略円形に形成されており、周方向の一カ所に係止部３８が形成されている。すなわち、係止部３８が形成されている周方向の位置のみにおいて、ストッパ本体３１の内径が小さくなっている。また、係止部３８の周方向の位置は、位置決め突起３２の周方向の位置と略同じとなっている。
【００２９】
図４（ｂ）はコネクタ４０を示す斜視図である。図２、図３、図４（ｂ）に示すように、コネクタ４０は、いわゆるＳＣコネクタであり、外装体２０の内側空間ＳＰ内において接続端４０ａを開口に向けた状態で軸心を中心として回転可能に配置される。コネクタ４０は、光ファイバを保持するフェルール４１と、フェルール４１を収容するハウジング４２を備えている。また、ハウジング４２の後側には、フェルール４１の後端に設けられた継手４３を収容する円筒状の収容部４４が設けられている。継手４３は、例えばトルクワイヤ（不図示）に接続される。フェルール４１に保持された光ファイバは、ハウジング４２の回転とともに回転する。なお、図示例では、フェルール４１を軸心方向Ｌに付勢するバネ４５がハウジング４２内に配置されている。
【００３０】
ハウジング４２は、ストッパ本体３１に形成された係止部３８に係合可能な被係止部４７ａを有する。具体的には、本実施形態のハウジング４２には、アダプタとの接続の際に位置決めに使用される突起部４６が形成されている。ハウジング４２の接続端４０ａ側は、断面略矩形をなしており、突起部４６は径方向の外側に突出している。ハウジング４２には、軸心方向Ｌを厚さ方向とした略円形板状の回転規制部４７が形成されている。回転規制部４７の外周には径方向内側に陥没した被係止部４７ａが形成されている。ハウジング４２の回転規制部４７の外周とストッパ本体３１の内周とは同形状となっている。また、回転規制部４７の軸心方向Ｌの厚さとストッパ本体３１の軸心方向Ｌの厚さとは略同じになっている。軸心方向Ｌにおいて、ハウジング４２の回転規制部４７の位置は、係止片３６と爪部２９ｂとが当接している状態でのストッパ本体３１の位置と一致するように設定されている。そのため、図３に示されるように、係止片３６と爪部２９ｂとが当接している状態では、回転規制部４７は、ストッパ本体３１の内周の内側に収まることができる。この状態では、被係止部４７ａが係止部３８に係止されるので、ストッパ３０に対するコネクタ４０の回転が規制される。
【００３１】
次に、図５を参照して、ＯＣＴカテーテル１０のコネクタ構造１００の動作について説明する。ＯＣＴカテーテル１０では、回転駆動装置７の接続口７ａに外装体２０の端部２４ａ側が押し込まれることによって、回転駆動装置７のアダプタ７ｄにコネクタ４０が接続される。図５（ａ）は、外装体２０が回転駆動装置７の接続口７ａに押し込まれる前の状態を示す。なお、図５においては回転駆動装置７の筐体を省略している。そのため、回転駆動装置７としては、接続口７ａ内に固定された押圧部７ｃのみが示されている。押圧部７ｃは、例えば円筒状をなしている。押圧部７ｃは外装体２０の内側空間ＳＰに挿通可能であり、例えばストッパ３０と同じ外径を有している。押圧部７ｃの内側には、コネクタ４０に接続されるアダプタ７ｄが配置されている。回転駆動装置７では、外装体２０が押し込まれる前のアダプタ７ｄの回転位置が、ストッパ３０によって回転が規制された状態でのコネクタ４０の回転位置に対応している。
【００３２】
コネクタ４０の接続は、外装体２０が接続口７ａに押し込まれることで行われる。この際、接続口７ａの位置決め部７ｂに外装体２０の位置決め突起２６が一致するように外装体２０の回転位置が調整されている。外装体２０が接続口７ａに押し込まれると、まず、押圧部７ｃの後端とストッパ３０の前端とが当接する。この状態からさらに外装体２０が押し込まれると、押圧部７ｃによってストッパ３０が後方側に押圧される。ストッパ３０は、バネ３４の付勢力に逆らって外装体２０に対して相対的に後方に移動する。このとき、バネ３４は弾性変形によって収縮している。外装体２０に対するコネクタ４０の軸心方向Ｌの位置に変化はないため、ストッパ３０は、コネクタ４０に対しても相対的に後方に移動する。
【００３３】
図５（ｂ）に示されるように、軸心方向Ｌにおいて、ストッパ本体３１の前端面３１ａが回転規制部４７の後端面４７ｂよりも後方に移動すると、係止部３８と被係止部４７ａとの係合が解除される。すなわち、ストッパ３０によるコネクタ４０の回転規制が解除され、コネクタ４０は回転自在の状態となる。また、この状態では、コネクタ４０はアダプタ７ｄに接続されており、アダプタ７ｄの回転に伴って回転し得る。
【００３４】
接続口７ａから外装体２０が取り外されるときのアダプタ７ｄの回転位置は、外装体２０が押し込まれる前のアダプタ７ｄの回転位置と同じとなるように回転駆動装置７によって制御される。そのため、接続口７ａから外装体２０が取り外された場合には、再度、ストッパ３０によりコネクタ４０の回転が規制され得る。
【００３５】
このように本実施移形態のＯＣＴカテーテル１０のコネクタ構造１００によれば、ストッパ３０によって外装体２０に対するコネクタ４０の回転が規制されているので、コネクタ４０はアダプタ７ｄと接続されるまで回転しない。この場合、使用者は、外装体２０を周方向に回転させることで、同時にコネクタ４０の回転位置を変更させることができる。すなわち、コネクタ４０の回転位置は外装体２０の回転位置によって確認可能となる。一方で、接続口７ａに対して外装体２０が押し込まれると、ストッパ３０によるコネクタ４０の回転規制が解除される。これにより、コネクタ４０は回転駆動装置７によって回転自在となる。このように、外装体２０内のコネクタ４０の回転位置を確認しなくても、コネクタ４０とアダプタ７ｄとを容易に接続することができる。
【００３６】
また、ストッパ３０によるコネクタ４０の回転規制の機構は、ストッパ３０に形成された係止部３８と、コネクタ４０に形成された被係止部４７ａとを含んでいる。そして、ストッパ３０は、接続口７ａに対して外装体２０が押し込まれたときに、外装体２０に対して軸心方向Ｌに相対的に移動する。このストッパ３０の相対的な移動によって、係止部３８と被係止部４７ａとの係合が解除される。この場合、外装体２０を押し込む方向とストッパ３０の移動方向が同じとなっているので、外装体２０を押し込む際の力をストッパ３０の移動に利用することができる。
【００３７】
また、外装体２０に対するストッパ３０の相対的な位置変化は、弾性部材であるバネ３４によって制限されている。そのため、接続口７ａに対して外装体２０が押し込まれていない状態では、バネ３４によって外装体２０に対するストッパ３０の位置が一定に保持される。そのため、振動等によってコネクタ４０の回転規制が解除されることが抑制される。
【００３８】
また、外装体２０に対するストッパ３０の軸心を中心とした回転が規制されている。このような構成によれば、コネクタ４０の回転が規制されている状態において、外装体２０の周方向に対するコネクタ４０の回転位置が決定される。
【００３９】
以上、本発明の実施の形態について図面を参照して詳述したが、具体的な構成はこの実施形態に限られるものではない。
【００４０】
例えば、外装体２０がフロントシェル２４とリアシェル２１とによって構成されている例を示したがこれに限定されない。例えば、フロントシェルとリアシェルとが一体成形されて外装体が構成されていてもよい。また、外装体は軸心方向に複数に分割されてもよい。
【００４１】
また、コネクタ４０の回転規制の構成として、径方向内側に突出した係止部３８と、径方向内側に陥没した被係止部４７ａとを例示したがこれに限定されない。係止部（ストッパ本体）と被係止部（回転規制部）とは、互いに周方向に対して当接して、相対的な回転移動が規制される構成であればよい。例えば、径方向外側に陥没した係止部と、径方向外側に突出した被係止部であってもよい。また、例えば、ストッパ本体及び回転規制部のいずれか一方に形成された孔部に対して、いずれか他方に形成された棒状体が挿通される構成であってもよい。また、ストッパ本体の内側形状と回転規制部の外側形状とを正円形以外（例えば矩形）の同形状として、互いに係合し合うようにしてもよい。
【００４２】
また、回転駆動装置７において、外装体２０が押し込まれる前と、外装体２０が取り外されるときとで、アダプタの回転位置が同じとなるように制御される例を示したがこれに限定されない。例えば、外装体が取り外されるときのアダプタの回転位置は、特に制御されていなくてもよい。
【符号の説明】
【００４３】
１…医療用イメージングシステム、７…回転駆動装置、７ａ…接続口（接続部分）、１０…ＯＣＴカテーテル、２０…外装体、３０…ストッパ、３４…バネ（弾性部材）、３８…係止部、４０…コネクタ、４７ａ…被係止部、Ｌ…軸心方向、ＳＰ…内側空間。
【図１】
2017127510.tif 000003
【図２】
2017127510.tif 000004
【図３】
2017127510.tif 000005
【図４】
2017127510.tif 000006
【図５】
2017127510.tif 000007